(57)【要約】【課題】弾性変形して挿入体のソケットへの挿入を許容し挿入後の挿入体の離脱を防止するバネ部のバネ性を確保しつつ、ソケットを小型化する。【解決手段】ソケットハウジング１０２は、金属板で形成され、筒状をなして開口１２１ａを有し、収容空間１２１を形成している。第１のラッチ１０６は、ソケットハウジング１０２の側壁１０２ａに孔部１０９を設けて側壁１０２ａから分離させずに形成される。第１のラッチ１０６は、側壁１０２ａの縁１０２ａｂと交差する方向に、縁１０２ａｂから側壁１０２ａの圧延面に沿った内側に向けて舌状に延びている。第１のラッチ１０６は、収容空間１２１に収容されたカメラモジュール３０１に引っかかってこのカメラモジュール３０１の離脱を防ぐ。連結部１１０は、第１のラッチ１０６の根元側から延び、その一方の側辺が縁１０２ａｂであって、他方の側辺は孔部１０９によって縁１０２ａｂと並行に形成される。【選択図】図１
2011129355.tif 000002
【特許請求の範囲】
【請求項１】
金属板で形成され、筒状をなして開口を有し、前記開口から挿入された挿入体を収容する収容空間を形成する収容部と、
前記金属板に孔部を設けて前記金属板から分離させずに形成され、前記開口を形成する前記金属板の縁と交差する方向に前記縁から前記金属板の圧延面に沿った内側に向けて舌状に延び、先端側領域が折り曲げられて前記金属板の圧延面から前記収容空間側に突出し、前記収容空間に収容された前記挿入体に引っかかるバネ部と、
前記バネ部の根元側から延び、一方の側辺が前記縁であって、他方の側辺は前記孔部によって前記縁と並行に形成される連結部と、
を備えるソケット。
【請求項２】
前記金属板の縁は、前記連結部よりも前記バネ部において前記金属板の圧延面に沿った内側に向けて入り込むように凹んでいる、
請求項１記載のソケット。
【請求項３】
挿入体を収容する収容空間を規定する金属板に孔部を設けて前記金属板から分離させずに形成され、前記金属板の縁と交差する方向に前記縁から前記金属板の圧延面に沿った内側に向けて舌状に延び、先端側領域が折り曲げられて前記金属板の圧延面から前記収容空間側に突出し、前記縁から前記収容空間側に向く前記金属板の圧延面に沿ってスライドして前記収容空間に収容された前記挿入体に引っかかるバネ部と、
前記バネ部の根元側から延び、一方の側辺が前記縁であって、他方の側辺は前記孔部によって前記縁と並行に形成される連結部と、
を備える金属部品。
【請求項４】
前記金属板の縁は、前記連結部よりも前記バネ部において前記金属板の圧延面に沿った内側に向けて入り込むように凹んでいる、
請求項３記載の金属部品。
【請求項５】
金属板に孔部を設けて前記金属板から分離させずに形成され、前記金属板の縁と交差する方向に前記縁から前記金属板の圧延面に沿った内側に向けて舌状に延び、先端側領域が折り曲げられて前記金属板の圧延面から突出するバネ部と、
前記バネ部の根元側から延び、一方の側辺が前記縁であって、他方の側辺は前記孔部によって前記縁と並行に形成される連結部と、
を備えるラッチ構造。
【請求項６】
前記金属板の縁は、前記連結部よりも前記バネ部において前記金属板の圧延面に沿った内側に向けて入り込むように凹んでいる、
請求項５記載のラッチ構造。
【発明の詳細な説明】
【技術分野】
【０００１】
本発明は、カメラモジュール等の挿入体を収容する収納空間を形成するソケット、この収納空間を規定する金属部品、及び、このソケットや金属部品に備わる挿入体等の物体を引っ掛けるためのラッチ構造に関する。
【背景技術】
【０００２】
従来、カメラモジュール等の挿入体を収容するソケットは、小型化が求められている。この課題を解決する技術の一例として、特許文献１には、コンタクトやインシュレータ等の部品を一体化して単一部品でソケット１を構成し、部品点数の削減により、組立工程の簡素化と安価化と低背化とを図ることが記載されている。このソケット１は、金属板材をプレス加工して収容部１ｄを形成するようで四角枠形状に、左右両側面に切り込みを入れ曲げ加工をして一対の係合ばね１ｂを形成したものである。このソケット１に収容されるカメラモジュール２には、その左右両側面の両上隅部から下方に向かう長方形の切り欠き部２ｂを有するものが用いられる。係合ばね１ｂは、カメラモジュール２がソケット１の収容部１ｄに挿入される途中で切り欠き部２ｂに引っかかり、ソケット１からカメラモジュール２が離脱することを防止するラッチ構造を構成する。
【先行技術文献】
【特許文献】
【０００３】
【特許文献１】特開２００８−０１６４１９号公報（段落００２０、００２１、００２７、図４〜図７）
【発明の概要】
【発明が解決しようとする課題】
【０００４】
上記のようにカメラモジュール２をソケット１の収容部１ｄに収容する場合、まず、各係合ばね１ｂは、カメラモジュール２の側面に押されて収容部１ｄに対して外側方向に弾性変位する。そして、カメラモジュール２が収容部１ｄに深く入り込むと、各係合ばね１ｂは、そのバネ性によって収容部１ｄの内側方向に戻ろうとし、カメラモジュール２の各切り欠き部２ｂに入り込む。その結果、係合ばね１ｂと切り欠き部２ｂとは係合し、カメラモジュール２がソケット１から離脱しなくなる。
【０００５】
ここで、特許文献１に記載のソケット１の高さは少なくとも係合ばね１ｂの長さ以上であることから、ソケット１を低くすると係合ばね１ｂも短くなる。しかしながら、係合ばね１ｂが短くなると、係合ばね１ｂのバネ性が小さくなって弾性変位しにくくなり、カメラモジュール２をソケット１に収容できなくなってしまう。
【０００６】
本発明の目的は、弾性変形して挿入体のソケットへの挿入を許容し挿入後の挿入体の離脱を防止するバネ部のバネ性を確保しつつ、ソケットを小型化することである。
【課題を解決するための手段】
【０００７】
本発明のソケットは、金属板で形成され、筒状をなして開口を有し、前記開口から挿入された挿入体を収容する収容空間を形成する収容部と、前記金属板に孔部を設けて前記金属板から分離させずに形成され、前記開口を形成する前記金属板の縁と交差する方向に前記縁から前記金属板の圧延面に沿った内側に向けて舌状に延び、先端側領域が折り曲げられて前記金属板の圧延面から前記収容空間側に突出し、前記収容空間に収容された前記挿入体に引っかかるバネ部と、前記バネ部の根元側から延び、一方の側辺が前記縁であって、他方の側辺は前記孔部によって前記縁と並行に形成される連結部と、を備える。
【０００８】
本発明の金属部品は、挿入体を収容する収容空間を規定する金属板に孔部を設けて前記金属板から分離させずに形成され、前記金属板の縁と交差する方向に前記縁から前記金属板の圧延面に沿った内側に向けて舌状に延び、先端側領域が折り曲げられて前記金属板の圧延面から前記収容空間側に突出し、前記縁から前記収容空間側に向く前記金属板の圧延面に沿ってスライドして前記収容空間に収容された前記挿入体に引っかかるバネ部と、前記バネ部の根元側から延び、一方の側辺が前記縁であって、他方の側辺は前記孔部によって前記縁と並行に形成される連結部と、を備える。
【０００９】
本発明のラッチ構造は、金属板に孔部を設けて前記金属板から分離させずに形成され、前記金属板の縁と交差する方向に前記縁から前記金属板の圧延面に沿った内側に向けて舌状に延び、先端側領域が折り曲げられて前記金属板の圧延面から突出するバネ部と、前記バネ部の根元側から延び、一方の側辺が前記縁であって、他方の側辺は前記孔部によって前記縁と並行に形成される連結部と、を備える。
【発明の効果】
【００１０】
本発明によれば、バネ部が弾性変位するに伴ってバネ部の根元側から延びる連結部も捩れる。このため、バネ部を短くしても、連結部の捩れ弾性によって十分なバネ性が確保される。したがって、弾性変形して挿入体のソケットへの挿入を許容し挿入後の挿入体の離脱を防止するバネ部のバネ性を確保しつつ、ソケットを小型化することができる。
【図面の簡単な説明】
【００１１】
【図１】第一の実施の形態における、ソケットの斜視図である。
【図２】（ａ）は、ソケットの背面図である。（ｂ）は、ソケットの左側面図である。（ｃ）は、ソケットの平面図である。（ｄ）は、ソケットの右側面図である。（ｅ）は、ソケットの背面図である。（ｆ）は、ソケットの正面図である。
【図３】（ａ）は、ソケットの一部を拡大して示す斜視図である。（ｂ）は、図３（ａ）のＡ矢視図である。
【図４】（ａ）〜（ｃ）は、ソケットハウジングの収容空間にカメラモジュールを挿入するときの第１のラッチの動きを示す、図３（ａ）のＢ−Ｂ線断面図である。
【図５】第二の実施の形態における、ソケットの斜視図である。
【発明を実施するための形態】
【００１２】
実施の一形態を、図１ないし図４に基づいて説明する。説明の便宜上、本実施の形態を第一の実施の形態と呼ぶ。本実施の形態は、カメラモジュールソケットへの適用例である。図１は、ソケット１０１（カメラモジュールソケット）の斜視図である。図２（ａ）は、ソケット１０１の背面図である。図２（ｂ）は、ソケット１０１の左側面図である。図２（ｃ）は、ソケット１０１の平面図である。図２（ｄ）は、ソケット１０１の右側面図である。図２（ｅ）は、ソケット１０１の背面図である。図２（ｆ）は、ソケット１０１の正面図である。
【００１３】
ソケット１０１は、収容部としてのソケットハウジング１０２を有する。このソケットハウジング１０２の側壁１０２ａは、板状の金属部材をプレス加工し、孔部１０９を設け、さらに折曲加工をして形成される。側壁１０２ａは、直方体形状の収容空間１２１を形成するよう筒状をなしていて、その上面が開口１２１ａとなっており、その底面には複数のコンタクト１０３が配置されている。開口１２１ａからは、挿入体としてのカメラモジュール３０１（図４（ａ）〜図４（ｃ）参照）が挿入され、収容空間１２１に収容される。カメラモジュール３０１には、その側面の上隅部から下方に向かって、長方形の切欠部３０２（図４（ｂ）及び図４（ｃ）参照）が形成されている。
【００１４】
コンタクト１０３は、バネ性を有する金属板をプレスし、その一部を折曲して形成されるもので、平面視において細長い矩形形状に見える。このコンタクト１０３の一方の端部からは、接触部１０４が、このコンタクト１０３の内側方向に延出する。接触部１０４は、ソケットハウジング１０２の底面からソケットハウジング１０２の開口１２１ａ側に折曲されて起立する。また、コンタクト１０３の他端からは、基板接続部１０５が突出する。基板接続部１０５は、ソケットハウジング１０２の側壁１０２ａから外方へ突出し、ソケット１０１の側面側に位置する電子機器の電子回路基板（図示せず）にハンダ付け等によって固定される。コンタクト１０３は、ソケット１０１の底面で、その長辺同士を向かい合わせるように列状に並ぶコンタクト列１０３ａを二列形成する。ソケットハウジング１０２及びコンタクト１０３、並びに、コンタクト１０３同士は、樹脂１５１によって固定される。より詳細には、ソケットハウジング１０２とコンタクト１０３との間、及び、コンタクト１０３同士の間の空間には、加熱溶融によって液化した樹脂１５１が射出される。そして、この樹脂１５１が硬化することによって、ソケットハウジング１０２及びコンタクト１０３の位置関係、並びに、コンタクト１０３同士の位置関係が固定される。
【００１５】
図３（ａ）は、ソケット１０１の一部を拡大して示す斜視図である。図３（ｂ）は、図３（ａ）のＡ矢視図である。ソケットハウジング１０２における向かい合う二つの側壁１０２ａのそれぞれには、第１のラッチ１０６が形成される。また、ソケットハウジング１０２の四方の側壁１０２ａのそれぞれには、第２のラッチ１０７が形成される。なお、本実施の形態では、第１のラッチ１０６が、特許請求の範囲における「バネ部」に相当する。
【００１６】
第１のラッチ１０６及び第２のラッチ１０７のいずれも、側壁１０２ａに孔部１０９を設けることで、この側壁１０２ａから分離させずに形成され、舌状の形状になっている。そして、第１のラッチ１０６及び第２のラッチ１０７のいずれも、開口１２１ａを形成する側壁１０２ａの縁１０２ａｂと交差する方向に、縁１０２ａｂを含む側壁１０２ａの上縁部１０２ａａから垂下して、側壁１０２ａの圧延面に沿った内側に向けて延びている。そして、第１のラッチ１０６も第２のラッチ１０７も、この上縁部１０２ａａの近傍部分で収容空間１２１側に向けて折曲されている。さらに、第１のラッチ１０６も第２のラッチ１０７も、その先端側領域（第１のラッチ１０６や第２のラッチ１０７の下方部分の領域）を側壁１０２ａ側に折曲させて形成された抜止部１０８を有する。
【００１７】
第１のラッチ１０６の上縁部１０２ａａ側（根元側）からは、連結部１１０が延びている。連結部１１０は、ソケットハウジング１０２の縁１０２ａｂに沿って延びる横長の部分である。連結部１１０の上方の側辺は、ソケットハウジング１０２の縁１０２ａｂによって形成される。連結部１１０の下方の側辺は、孔部１０９によって、ソケットハウジング１０２の縁１０２ａｂと並行して形成される。連結部１１０の下方の側辺は、ソケットハウジング１０２の縁１０２ａｂと平行に延びることが好ましい。
【００１８】
ところで、ソケットハウジング１０２の縁１０２ａｂにおいて第１のラッチ１０６の上方に位置する部分には、窪部１１１が形成されている。窪部１１１は、ソケットハウジング１０２の縁１０２ａｂから下方に凹んでいて、連結部１１０よりも第１のラッチ１０６においてソケットハウジング１０２の圧延面に沿った内側に向けて入り込むようにＶ字状に形成されている。そして、窪部１１１の最下点１１２は、第１のラッチ１０６の中心線１１３上に位置する。
【００１９】
図４（ａ）〜図４（ｃ）は、ソケットハウジング１０２の収容空間１２１にカメラモジュール３０１を挿入するときの第１のラッチ１０６の動きを示す、図３（ａ）のＢ−Ｂ線断面図である。以上のように構成されるソケット１０１の収容空間１２１にカメラモジュール３０１を挿入する場合、カメラモジュール３０１は、ソケットハウジング１０２の開口１２１ａに位置付けられ、そのままソケットハウジング１０２の底面（図１参照）に向けて移動する（図４（ａ））。この移動の途中で、カメラモジュール３０１の下方の部分は、第１のラッチ１０６を収容空間１２１に対して外側方向に押す。これにより、第１のラッチ１０６は、図４（ｂ）に示すように収容空間１２１に対して外側方向に弾性変位する。ここで重要なのは、連結部１１０は横長に形成されているために、第１のラッチ１０６の弾性変位に伴って連結部１１０は方向Ｓに捩れるという点である。
【００２０】
図４（ｂ）に示す状態に続いてさらにカメラモジュール３０１が下方に移動すると、連結部１１０は、その捩り弾性によって方向Ｓとは反対の方向Ｓ’に戻ろうとし、さらに、第１のラッチ１０６はそのバネ性によって収容空間１２１側に戻ろうとして、カメラモジュール３０１の切欠部３０２に入り込む（図４（ｃ））。その結果、第１のラッチ１０６の抜止部１０８とカメラモジュール３０１の切欠部３０２とは係合し、カメラモジュール３０１がソケット１０１から離脱しなくなる。
【００２１】
このように、本実施の形態のソケット１０１では、連結部１１０が設けられていることによって、第１のラッチ１０６が弾性変位するに伴って連結部１１０も捩れる。つまり、連結部１１０によって、第１のラッチ１０６の全体のバネ性が大きくなる。このため、第１のラッチ１０６を短くしても、カメラモジュール３０１が収容空間１２１に挿入されたときに変形するのに十分なバネ性が確保される。したがって、弾性変形してカメラモジュール３０１のソケット１０１への挿入を許容し挿入後のカメラモジュール３０１の離脱を防止する第１のラッチ１０６のバネ性を確保しつつ、ソケット１０１を小型化することができる。
【００２２】
さらに、本実施の形態のソケット１０１では、ソケットハウジング１０２の縁１０２ａｂに窪部１１１が形成されている。この窪部１１１によって、連結部１１０が一層細くなり、連結部１１０に捩りが生じやすくなって、連結部１１０の捩り弾性が大きくなる。このため、第１のラッチ１０６をさらに短くしてソケット１０１を一層小型化することができる。
【００２３】
次いで、別の実施の一形態を、図５に基づいて説明する。説明の便宜上、本実施の形態を第二の実施の形態と呼ぶ。なお、第二の実施の形態において、第一の実施の形態と同一の部分には同一の符号を付し説明も省略する。本実施の形態は、カメラモジュールソケットを構成する金属部品への適用例である。
【００２４】
図５は、ソケット５０１（カメラモジュールソケット）の斜視図である。本実施の形態において、ソケット５０１は、一対のプラスチック平板５０２と、一対の金属部品５０３とを有する。一対のプラスチック平板５０２は互いに向かい合っている。このプラスチック平板５０２には、第１のラッチ１０６及び第２のラッチ１０７のいずれも設けられていない。また、一対の金属部品５０３も互いに向かい合っている。この金属部品５０３には、第１のラッチ１０６及び第２のラッチ１０７が設けられている。そして、プラスチック平板５０２と金属部品５０３とは、互い違いに並んで固定部材（図示せず）で固定され、直方体形状の収容空間１２１を形成している。
【００２５】
本実施の形態でも、カメラモジュール３０１は、ソケットハウジング１０２の開口１２１ａに位置付けられ、そのままソケットハウジング１０２の底面に向けて、金属部品５０３の圧延面に沿ってスライド移動して、収容空間１２１に収容される。そして、本実施の形態でも、カメラモジュール３０１の下方の部分は第１のラッチ１０６を収容空間１２１に対して外側方向に押して第１のラッチ１０６を弾性変位させ、これに伴って連結部１１０は方向Ｓに捩れる。そして、第１のラッチ１０６の弾性や連結部１１０の捩り弾性によって第１のラッチ１０６は収容空間１２１側に戻ろうとして、第１のラッチ１０６はカメラモジュール３０１の切欠部３０２に入り込む。つまり、本実施の形態においても、第１のラッチ１０６の抜止部１０８とカメラモジュール３０１の切欠部３０２とは係合し、カメラモジュール３０１がソケット１０１から離脱しなくなる。
【００２６】
なお、第一の実施の形態のソケット１０１や第二の実施の形態のソケット５０１に適用された、第１のラッチ１０６から連結部１１０を延出させて構成されるラッチ構造は、ソケット１０１のみならず、他の部品にも適用することができるのは、言うまでもない。
【符号の説明】
【００２７】
１０１        ソケット
１０２ａ      側壁（収容部）
１０２ａｂ    縁
１０６        第１のラッチ（バネ部）
１０９        孔部
１１０        連結部
１２１        収容空間
１２１ａ      開口
３０１        カメラモジュール（挿入体）
５０１        ソケット
５０３        金属部品
【図１】
2011129355.tif 000003
【図２】
2011129355.tif 000004
【図３】
2011129355.tif 000005
【図４】
2011129355.tif 000006
【図５】
2011129355.tif 000007